(57)【要約】　　　（修正有）【課題】この発明は、除草作業を行う者の背の高さにより鍬基体の角度を調節し、また、除草作業を行う場所の広さによって柄の長さを調節できる刃部角度調節可能な除草鍬を提供する。【解決手段】鍬基体２は、半円弧状形状からなり、その中央部分に外形とほぼ同型の形状のものを刳り抜き３、円弧状の鍬基体の上辺二箇所に軸受け突片４、５を設け、その軸受け突片４、５間に設けられた軸６に、回動自在なボルト７、８を設けて、そのボルト７、８を刃部固定金具１６の端部に設けられた座金９にナット１０、１１、１２、１３にて固定し、更に、鍬基体２の裏側上辺に二箇所軸受け突片を設け、そこに刃部固定金具１６の端部孔１７に軸着してなる草刈鍬２で、軸着を支軸として、座金９のボルト１０、１１、１２、１３固定位置を調節することにより、鍬基体２の角度を調節する。また柄は、強力な合い磁石を埋め込み、接ぎ柄を行う。【選択図】　図３
2004057177.tif 000002
【特許請求の範囲】
【請求項１】
鍬基体２は、半円弧状形状からなり、その中央部分に外形とほぼ同型の形状のものを刳り抜き３、円弧状の鍬基体２の上辺二箇所に軸受け突片４、５を設け、その軸受け突片４、５間に設けられた軸６に、回動自在なボルト７、８を設けて、そのボルト７、８を刃部固定金具１６の端部に設けられた座金９にナット１０、１１、１２、１３にて固定し、更に、鍬基体２の裏側上辺に二箇所軸受け突片１４、１５、を設け、そこに刃部固定金具１６の端部孔１７に軸着してなる草刈鍬２で、軸着を支軸１８として、座金９のボルト１０、１１、１２、１３固定位置を調節することにより、鍬基体２の角度を調節することを特徴とする刃部角度調節可能な除草鍬１。
【請求項２】
上記柄１９は、元柄１９ａと１９ｂとの接ぎ柄となっており、元柄の一端には刃部固定金具１６の３個の端部孔２０に３個のボルト２１と３個のナット２２により螺子止めされ、他端には強力な合い磁石２３を埋め込み、その外側には、接ぎ柄装着筒２４を設け、その入り口両側には、鍵状の突子案内溝２５を設けなるに対し、接ぎ柄１９ｂの、接ぎ部分の両側には、案内溝に接合する突子２６が設けられ、接ぎ部分端部には強力な磁石２７を埋め込んでなる柄１９ことを特徴とする請求項１記載の刃部角度調節可能な除草鍬。
【発明の詳細な説明】
【０００１】
【発明の属する技術分野】
この発明は、除草作業を行う者の背の高さにより鍬基体の角度を調節し、また、除草作業を行う場所の広さによって柄の長さを調節できる刃部角度調節可能な除草鍬に関する。
【０００２】
【従来の技術】
従来、草削り鍬としては、柄と、取り付け具と、草削りと、小唐鍬とからなるもの公開実用平成１−６３３０１、或いは替え刃式草削り鍬、公開実用平成１−６３３０１とが有するが、共に鍬と柄の部分が固定式であり、人の背の高さや作業の広さにより柄の長さを調節することは出来ないものである。
【０００３】
【発明が解決しようとする課題】
しかし、上記出願に係る構造の鍬とは違い、土地を耕したり，土を掘ったりするのと違い、土に打ち付けて急激に強い力が柄や鍬に係ることはない。草をとる方法としては、約１ｍ前方草の根に鍬の刃を当てて髭を剃るように地面の表面を手前に一気に引くと草は根から切れ草は削げるものである。
【０００４】
この際、地面と鍬の刃の角度が大いに問題となります。その角度が大きすぎると鍬の刃は、草の根を切り難く、その角度によっては刃が土に食い込んだりしてその角度は、作業能率と大いに関係が深いものであります。従来の鍬には刃の角度を調節する装置は無く、この点において不具合を有していたものである。
【０００５】
【課題を解決するための手段】
この発明は、かかる従来の不具合を解消するためになされたもので、地面と鍬の刃の角度が、一定に保たれるように、人の背の高さや、作業する場所の広さにより、柄の長さを接ぎ柄により調節し、姿勢の良い状態で作業することができるので、長時間作業を行っても、腰への負担が少ないことから、疲労も少ない。
【０００６】
上記目的を達成するためこの発明のうち、請求項１記載の発明については、刃部角度調節可能な除草鍬は、半円弧状形状からなり、その中央部分に外形とほぼ同型の形状のものを刳り抜き、円弧状の鍬基体の上辺二箇所に軸受け突片を設け、その軸受け突片間に設けられた軸に、回動自在なボルトを設けて、そのボルトを柄の端部に設けられた座金にナットにて固定し、更に、鍬基体の裏側上辺に二箇所軸受け、そこに柄固定端部を軸着してなる草刈鍬で、軸着を支軸として、座金のボルト固定位置を調節することにより、鍬基体の角度を調節することを特徴とする刃部角度調節可能な除草鍬である。
【０００７】
そして、請求項２記載の発明については、柄は、元柄と接ぎ柄とからなり、元柄の一端には鍬基体が接合され、他端には強力な合い反発する磁石を埋め込み、その外側には、継ぎ柄装着筒を設け、その入り口両側には、鍵状の突子案内溝を設けなるにたし、接ぎ柄の、接ぎ部分の両側には、案内溝に接合する突子が設けられ、接ぎ部分端部には強力な合い反発する磁石を埋め込んでなり、柄の着脱を容易に行えるようにしたことを特徴とする刃部角度調節可能な除草鍬である。
【０００８】
【発明の実施の形態】
この発明の実施の形態は図面を参照して詳述する。
図１は本発明の実施の形態になる刃部角度調節可能な除草鍬の要部である鍬基体の斜視図、図２は、図１の背面斜視図、図３は、図１の刃部角度調節部の分解斜視図、図４は、鍬基体の刃部角度の変化を仮想線で表してなる側面図、図５及び図６柄に係る説明図であり、図７は使用状態の説明図である。
【０００９】
鍬基体２は、半円弧状形状からなり、その中央部分に外形とほぼ同型の形状のものを刳り抜き３、鍬基体の軽量化と削ぎ土草の逃げ場を設け作業のし易さをはかっている。
【００１０】
円弧状の鍬基体２の上辺二箇所に軸受け突片４、５を設け、その軸受け突片４、５間に設けられた軸６に、回動自在なボルト７、８を設けて、そのボルト７、８を刃部固定金具１６の端部に設けられた座金９にナット１０、１１、１２、１３にて固定し、更に、鍬基体２の裏側上辺に二箇所軸受け突片１３、１４、を設け、そこに刃部固定金具１５の端部１６に軸着してなる草刈鍬２で、軸着を支軸１７として、座金９のボルト１０、１１、１２、１３固定位置を調節することにより、鍬基体２の角度を調節するものである。
【００１２】
草をとる方法としては、約１ｍ前方草の根に鍬の刃を当てて髭を剃るように地面の表面を手前に一気に引くと草は根から切れ草は削げます。その際、地面と鍬の刃の角度が大きすぎると鍬の刃は、草の根にかかり難く、その角度によっては刃が土に食い込んだりしてその角度は、作業能率に関係が深いので、その角度の調節は重要であります。
【００１３】
草の根にかかり易く、地面に深く食い込み難い、地面と鍬の刃の理想的な角度は、４０度前後であり、背の高い人、背の低い人、背が曲がり極端に背の低い人の三段階が想定されますが、角度調節によってそれぞれ図６に示すとおり地面と鍬の刃の角度は、４０度に保たれています。
【００１４】
そして、鍬基体の刃部角度の調節は、鍬基体２の裏側上辺に二箇所軸受け突片１３、１４、を設け、そこに刃部固定金具１５の端部１６に軸着してなる草刈鍬２で、軸着を支軸１７として、座金９のボルト１０、１１、１２、１３固定位置を調節することにより、鍬基体２の角度を調節するほか、元柄の３個の端部孔２０ｂの長孔が設けられている。その孔に刃部固定金具１６の３個の端部孔２０ａに３個のボルト２１とナット２２により螺子止めされることにより調節するものである。
【００１５】
そして、柄１９は、元柄１９ａと１９ｂとの接ぎ柄となっており、元柄の一端に設けられた３個の端部孔２０ｂの長孔と刃部固定金具１６の３個の端部孔２０ａの長孔に３個のボルト２１とナット２２により螺子止めし、他端には強力な合い磁石２７を埋め込み、その外側には、接ぎ柄装着筒２４を設け、その入り口両側には、鍵状の突子案内溝２５を設けなるに対し、接ぎ柄１９ｂの、接ぎ部分の両側には、案内溝に接合する突子２６が設けられ、接ぎ部分端部には強力な磁石２７を埋め込んでなる柄１９を形成するものである。
【００１６】
また、元柄１９ａと１９ｂとの接ぎ柄とするときには、図５（Ｃ）及び図（ｄ）に示すように強力な磁石２３と２７はマイナスとマイナス、プラスとプラスのように相対するように設けてあり、元柄１９ａの接ぎ柄装着筒２４の鍵状の突子案内溝２５に接ぎ柄１９ｂの突子２６が係合するようにして接ぎ柄１９ｂを嵌挿して突き当たったとき磁石は、マイナスとマイナス、プラスとプラスのように相対するように設けてあるので反発し、磁力で押し戻されるが、更に強く押しながらそのまま左側に４５度捻ると磁石は、プラスとマイナス、プラスとマイナスのように相互に引き合い、接ぎ柄１９ｂの突子２６は、鍵溝に落ち込み完全に接ぎ柄１９を形成するものである。
【００１７】
また、接ぎ柄１９を元柄１９ａと接ぎ柄１９ｂと引き離す場合は、元柄１９ａと接ぎ柄１９ｂとを繋ぐ場合と全く逆な作業である。即ち、完全に接ぎ柄１９を形成しているとき、元柄１９ａと接ぎ柄１９ｂとを強く引き離すように互いに逆の方向に引き少し離れ物に当る感じを得たら右側に４５度回転すると磁石は、マイナスとマイナス、プラスとプラスのように相対するようになるので反発し簡単に分離できるものである。
【００１８】
接ぎ柄は、その長さが使用する場所又は背の高さによって大、中、小と図示されていないが用意され、使用目的に合わせて選ぶことができ、誠に便利なものである。
【００１９】
【発明の効果】
この発明は、以上詳述したように、一般の鍬とは違い、土地を耕したり、土を掘ったりするのと違い、土地に打ち付けて急激に強い力が柄や鍬に係ることはない。
この鍬の使用方法としては、約１ｍ前方草の根に鍬の刃を当てて髭を剃るように地面の表面を手前に一気に引くことにより草の根を切り草は削げるものである。これにより草は枯れ、表面の土は、１ｃｍ乃至２ｃｍほど削がれるので、土と草は分離し易くなっているため、草の除去作業も効果的である。
【００２０】
この発明に係る鍬は、草の根にかかり易く地面に深く食い込み難い地面と鍬の刃の理想的な角度は、４０度前後であるが、背の高い人、背の低い人、背が曲がり極端に背の低い人により、鍬基体の角度調節は、座金９のボルトの固定位置を簡単に調節することができ、作業の際、それぞれ図６に示すとおり地面と鍬の刃の角度は、４０度に保たれ、姿勢の良い状態で作業ができるので疲れることが無く長時間作業ができ効率的である。
【００２１】
そして、柄は、元柄と接ぎ柄とからなっているが、その着脱作業は、元柄の接ぎ柄装着筒に設けている鍵状の突子案内溝に接ぎ柄の突子が係合するようにして、接ぎ柄を嵌挿して突き当たったとき磁石は、相反発するように設けてあるので反発し、磁力で押し戻されるが、更に強く押しながらそのまま左側に４５度捻ると磁石は、強力な磁石の作用により相互に引き合って、接ぎ柄の突子は、鍵溝に落ち込み完全に接ぎ柄１９を形成するものである。
【００２２】
また、接ぎ柄を元柄と接ぎ柄と引き離す場合は、元柄と接ぎ柄とを接ぐ場合と全く逆な作業である。即ち、元柄と接ぎ柄とを強く引き離すように互いに逆の方向に引き少し離れ物に当る感じを得たら右側に４５度回転すると磁石の作用によって反発し、簡単に分離できその着脱作業は、極めて簡単である。
【００２３】
更に、この発明に係る鍬は、その部品の数も少なくその組立て作業も簡単であるので、需要者には安価に提供できるものである．
【図面の簡単な説明】
【図１】本発明の実施の形態になる刃部角度調節可能な除草鍬の要部である鍬基体の斜視図である。
【図２】本発明の実施の形態になる上記図１の背面斜視図である。
【図３】本発明の実施の形態になる上記図１の刃部角度調節部の分解斜視図である。
【図４】本発明の実施の形態になる刃部角度調節可能な除草鍬の柄の一部を省略し、柄の一部および継ぎ柄の部分を断面し、鍬基体の刃部角度の変化を仮想線で表してなる側面図である。
【図５】（ａ）本発明の実施の形態になる柄の一部を省略し、接ぎ柄の部分を表した側面図である。
（ｂ）本発明の実施の形態になる柄の一部を省略し、接ぎ柄の部分を断面で表した側面図である。
（ｃ）本発明の実施の形態になる継ぎ柄の部分の平面図である。
（ｄ）本発明の実施の形態になる元柄の一部を省略し、接ぎ柄の部分の平面図である。
【図６】（ａ）本発明の実施の形態になる刃部固定金具１４が元柄の一端に螺着されている状態の側面図である。
（ｂ）図６（ａ）の分解斜視図である。
【図７】（ａ）本発明の実施の形態になる背の高い人が作業用状態の正面図である。
（ｂ）本発明の実施の形態になる背の低い人が作業用状態の正面図である。
（Ｃ）本発明の実施の形態になる腰の曲がった背の更に低い人が作業用状態の正面図である。
【符号の説明】
１刃部角度調節可能な除草鍬
２鍬基体
３刳り抜き
４、５軸受け突片
６軸
７、８ボルト
９座金
１０、１１、１２、１３ナット
１４、１５軸受け突片
１６刃部固定金具
１６ａ刃部固定金具１６の端部
１７刃部固定金具１６の端部孔
１８支軸
１９柄
１９ａ元柄
１９ｂ接ぎ柄
２０刃部固定金具１６の端部の３個の孔と元柄端部の３個の長孔
２１ボルト（３個）
２２ナット（３個）
２３、２７磁石
２４接ぎ柄装着筒
２５突子案内溝
２６突子
【図１】
2004057177.tif 000003
【図２】
2004057177.tif 000004
【図３】
2004057177.tif 000005
【図４】
2004057177.tif 000006
【図５】
2004057177.tif 000007
【図６】
2004057177.tif 000008
【図７】
2004057177.tif 000009